(57)【要約】【課題】遊技領域を圧迫することなく、また画像表示手段の表示枠としての機能を損なうことなく、センターケースに効果的な装飾を施すことが可能な弾球遊技機を提供する。【解決手段】遊技盤５の装着孔に前側から装着される前構造体２２と、後側に配置される画像表示手段の表示窓２４を備え且つ前構造体２２に対応して遊技盤５の裏側に着脱自在に装着される後構造体２５とで構成されるセンターケースを備え、後構造体２５に表示窓２４を取り囲む表示枠５６を設けた弾球遊技機で、表示枠５６は遊技盤５の後側に離間して配置され、遊技盤５の後側で且つ表示枠５６及び装着孔よりも外側の空間に装飾部材５８，６１，６６を前側から視認可能に設けたものである。【選択図】図４
2011016025.tif 000002
【特許請求の範囲】
【請求項１】
遊技盤（５）に形成された装着孔（２１）に対して前側から着脱自在に装着される前構造体（２２）と、後側に配置される画像表示手段（２３）の表示窓（２４）を備え且つ前記前構造体（２２）に対応して前記遊技盤（５）の裏側に着脱自在に装着される後構造体（２５）とで構成されるセンターケース（１３）を備え、前記前構造体（２２）は、前記装着孔（２１）に沿って配置される装飾枠（２６）と、この装飾枠（２６）の下部側に沿って左右方向に配置され且つ所定の入球口（２７）に入球した遊技球を自由に転動させて前側に落下させるステージ（２８）とを備え、前記後構造体（２５）は、前記表示窓（２４）を取り囲む表示枠（５６）を備えた弾球遊技機において、前記表示枠（５６）は前記遊技盤（５）の後側に離間して配置され、前記遊技盤（５）の後側で且つ前記表示枠（５６）及び前記装着孔（２１）よりも外側の空間に装飾部材（５８，６１，６６）を前側から視認可能に設けたことを特徴とする弾球遊技機。
【請求項２】
前記遊技盤（５）の後側で且つ前記表示枠（５６）及び前記装着孔（２１）よりも下側に下装飾部材（５８）を配置し、前記ステージ（２８）を、その少なくとも一部を透明に形成すると共に前記下装飾部材（５８）の上側を略覆うように前記装飾枠（２６）と前記表示枠（５６）との間に配置したことを特徴とする請求項１に記載の弾球遊技機。
【請求項３】
前記装飾枠（２６）と前記表示枠（５６）との間は、前記ステージ（２８）が配置された下部側を除き内向きに開放していることを特徴とする請求項２に記載の弾球遊技機。
【発明の詳細な説明】
【技術分野】
【０００１】
本発明は、パチンコ機等の弾球遊技機に係り、詳しくは、遊技盤に形成された装着孔に対して前側から着脱自在に装着される前構造体と、後側に配置される画像表示手段の表示窓を備え且つ前構造体に対応して遊技盤の裏側に着脱自在に装着される後構造体とで構成されるセンターケースを備えた弾球遊技機に関するものである。
【背景技術】
【０００２】
パチンコ機に代表される弾球遊技機では、遊技領域の略中央にセンターケースを配置し、そのセンターケースの後側に液晶ディスプレイ等の画像表示手段を装着したものが多い。ところで、この種の弾球遊技機に用いられる画像表示手段は大画面化の一途を辿っているが、画像表示手段の前側には遊技釘等を配置できないため、遊技領域内であっても画像表示手段の前側の範囲については遊技球の可動領域として用いることは難しい。即ち、パチンコ機等の弾球遊技機においては、画像表示手段の大画面化に伴い、遊技領域に占める遊技球の可動領域の割合が徐々に小さくなり、遊技球の動きが画一化されて意外性に乏しくなっているのが実情である。
【０００３】
そこで、そのような限られた可動領域の中で少しでも遊技球の動きを多様化させるべく、例えばセンターケースの下部側にステージを設け、遊技球をこのステージ上で左右方向に転動させつつ、センターケースの下側に配置された電動チューリップ等に誘導するように構成された弾球遊技機が主流となってきている（特許文献１）。
【先行技術文献】
【特許文献】
【０００４】
【特許文献１】特開２００１−１４９５４６号公報
【発明の概要】
【発明が解決しようとする課題】
【０００５】
ところで、この種のセンターケースを備えた弾球遊技機では、遊技領域内におけるセンターケースの占める割合を最小限に抑えて遊技球の可動領域をできるだけ広く確保する必要がある。従って、従来の弾球遊技機のセンターケースは、例えば特許文献１に記載された発明のように、画像表示手段の表示画面の外周に沿った略矩形の枠状に形成されており、装飾部材はその前面側に僅かに設けられるのみで、内面側はスペースの関係で凝った装飾部材は殆ど配置できないという問題があった。
【０００６】
本発明は、上記事情に鑑みてなされたものであり、その目的とするところは、遊技領域を圧迫することなく、また画像表示手段の表示枠としての機能を損なうことなく、センターケースに効果的な装飾を施すことが可能な弾球遊技機を提供することにある。
【課題を解決するための手段】
【０００７】
本発明は、遊技盤５に形成された装着孔２１に対して前側から着脱自在に装着される前構造体２２と、後側に配置される画像表示手段２３の表示窓２４を備え且つ前記前構造体２２に対応して前記遊技盤５の裏側に着脱自在に装着される後構造体２５とで構成されるセンターケース１３を備え、前記前構造体２２は、前記装着孔２１に沿って配置される装飾枠２６と、この装飾枠２６の下部側に沿って左右方向に配置され且つ所定の入球口２７に入球した遊技球を自由に転動させて前側に落下させるステージ２８とを備え、前記後構造体２５は、前記表示窓２４を取り囲む表示枠５６を備えた弾球遊技機において、前記表示枠５６は前記遊技盤５の後側に離間して配置され、前記遊技盤５の後側で且つ前記表示枠５６及び前記装着孔２１よりも外側の空間に装飾部材５８，６１，６６を前側から視認可能に設けたものである。
【発明の効果】
【０００８】
本発明によれば、遊技領域１２を圧迫することなく、また画像表示手段２３の表示枠５６としての機能を損なうことなく、センターケース１３に効果的な装飾を施すことが可能である。
【図面の簡単な説明】
【０００９】
【図１】本発明の一実施形態を示すパチンコ機の全体正面図である。
【図２】遊技盤及びセンターケースの正面図である。
【図３】後構造体の正面図である。
【図４】遊技盤及びセンターケースの分解斜視図である。
【図５】遊技盤及びセンターケースの分解側面断面図である。
【図６】図５の要部拡大図である。
【図７】遊技盤及びセンターケースの要部側面断面図である。
【図８】遊技盤及びセンターケースの分解平面断面図である。
【図９】遊技盤及びセンターケースの平面断面図である。
【発明を実施するための形態】
【００１０】
以下、本発明の実施形態を図面に基づいて詳述する。図１〜図９は本発明をパチンコ機に採用した一実施形態を例示している。図１において、１は遊技機本体で、矩形状の外枠２と、この外枠２の前側に開閉自在に枢着された前枠３とを備えている。前枠３は左端側の上下一対のヒンジ４を介して外枠２に着脱及び開閉自在に装着されている。
【００１１】
前枠３の上部側には遊技盤５が例えば前側から着脱自在に装着されると共に、遊技盤５の前側にガラス扉６が、ガラス扉６の下側に隣接して前面開閉板７が夫々配置されている。ガラス扉６、前面開閉板７はヒンジ４と同一側のヒンジ（図示省略）により前枠３に開閉自在に枢支されている。前面開閉板７には、その前側に、発射手段８に供給するための遊技球を貯留する貯留皿９、発射手段８を作動させるための発射ハンドル１０等が設けられている。
【００１２】
遊技盤５の前側には、発射手段８により発射された遊技球を案内するガイドレール１１が環状に装着されると共に、そのガイドレール１１内の遊技領域１２には、その略中央にセンターケース１３が配置され、更にそのセンターケース１３の左側に通過ゲート１４が、下側に開閉式入賞手段１５及び大入賞手段１６が配置される他、普通入賞手段１７、風車１８等の各種遊技部品が装着されている。
【００１３】
以下、図２〜図９を参照しつつ、センターケース１３の構成及び遊技盤５への装着状態について詳述する。なお、図２〜図９においては、遊技盤５とセンターケース１３のみを表示し、遊技盤５に装着されるセンターケース１３以外の遊技部品及びそれらを装着するための装着孔、ガイドレール１１等は省略している。
【００１４】
遊技盤５は、ベニヤ板、合成樹脂等の平板により略矩形状に形成されており、その内部にセンターケース１３を装着するための装着孔２１が形成されている。センターケース１３は、遊技盤５の装着孔２１に対して前側から着脱自在に装着される前構造体２２と、画像表示手段２３用の表示窓２４を備え且つ前構造体２２に対応して遊技盤５の裏側に着脱自在に装着される後構造体２５とを備えている。
【００１５】
前構造体２２は、装着孔２１に沿って配置される装飾枠２６と、この装飾枠２６の下部側に沿って左右方向に配置され且つ入球口２７に入球した遊技球を自由に転動させて前側に落下させるステージ２８とを備えている。
【００１６】
装飾枠２６は、装着孔２１の内面に沿って例えば無端状に配置された嵌合壁３１と、この嵌合壁３１の前端側から遊技盤５の前面側に沿って内外に張り出す前面当接板３２と、この前面当接板３２の上部側から左右両側にかけて前向き突出状に配置された庇部３３とを備え、例えば前面当接板３２を遊技盤５に前側からねじ止めすることにより遊技盤５に対して着脱自在に固定されている。嵌合壁３１は、前後方向幅が遊技盤５の厚さと略等しく形成されている。
【００１７】
装飾枠２６の一側、例えば左側には、庇部３３の側面に入球口２７が形成され、その入球口２７の下流側には、入球口２７に入球した遊技球をステージ２８側に誘導する誘導通路３４が設けられている。誘導通路３４は、嵌合壁３１の内側に沿って上下方向に配置される縦通路部３４ａと、この縦通路部３４ａの下端側から後ろ向きに配置される横通路部３４ｂとで構成され、この横通路部３４ｂの後端側がステージ２８の最上流側に連結されている。
【００１８】
前面当接板３２は、その下部側が、左右両端側よりも中央が若干下がった略Ｖ型に形成されており、その下部当接板３２ａの後側にステージ２８が後ろ向き突出状に配置されている。ステージ２８は、入球口２７に入球した遊技球を左右方向に自由転動させつつ前側に案内するもので、図６〜図９等に示すように、例えば左右方向細長状の遊動部３５が前後方向に複数列、例えば三列配置されている。前後三列の遊動部３５ａ〜３５ｃは、入球口２７から入球した遊技球を、後列の第１遊動部３５ａから中列の第２遊動部３５ｂ、前列の第３遊動部３５ｃを経て前側に落下させるように構成されており、第１遊動部３５ａの左右方向一端側、例えば左端側に、誘導通路３４の横通路部３４ｂが連通している。
【００１９】
なお、ステージ２８における入球口２７側とは反対側の端部近傍には前後方向の規制壁３６が立設されており、ステージ２８の左右両端側は誘導通路３４と規制壁３６とで挟まれて遊技球の遊動範囲が規制されている。
【００２０】
第３遊動部３５ｃは、下部当接板３２ａの上縁側に沿ってその後側に遊技盤５の厚さ分に対応する幅で配置されている。第３遊動部３５ｃは、その左右両端側が最も高く、左右方向中央よりもその両側が若干低い滑らかなＷ字型に形成されており、左右方向中央の頂上部とその両側の凹み部の三箇所に遊技球を前側に案内する案内溝３７ｃが形成され、またその案内溝３７ｃの配置部分を除く前縁側には遊技球の前側への落下を規制する規制壁３８ｃが所定高さで立設されている。
【００２１】
第２遊動部３５ｂは、第３遊動部３５ｃの背壁３９ｃの後側に例えば第３遊動部３５ｃよりも幅広に設けられており、第３遊動部３５ｃと同様、その左右両端側が最も高く、左右方向中央よりもその両側が若干低い滑らかなＷ字型に形成されているが、左右の凹み部が第３遊動部３５ｃのそれよりも若干内側に配置されており、その左右の凹み部に遊技球を前側の第３遊動部３５ｃ側に案内する案内溝３７ｂが形成されている。
【００２２】
また、第２遊動部３５ｂの左右方向中央の頂上部には、その前部側に下向き開口状の落下孔４０が設けられている。この落下孔４０に落下した遊技球は、第３遊動部３５ｃの下側に前後方向に設けられた案内樋４１により前側に案内され、下部当接板３２ａに形成された排出孔４２から前側に排出される。更に、第２遊動部３５ｂの前縁側には、案内溝３７ｂの配置部分を除き、遊技球の前側への落下を規制する規制壁３８ｂが所定高さで立設され、また第２遊動部３５ｂの前後方向略中央には、案内溝３７ｂの左右両側で且つ後述する第１遊動部３５ａ側の案内溝３７ａの前側に対応して左右方向の突条４３が立設されている。
【００２３】
第１遊動部３５ａは、第２遊動部３５ｂの背壁３９ｂの後側に例えば第２遊動部３５ｂよりも幅狭に設けられており、第２，第３遊動部３５ｂ，３５ｃと同様、その左右両端側が最も高く、左右方向中央よりもその両側が若干低い滑らかなＷ字型に形成されているが、左右の凹み部が第２遊動部３５ｂのそれよりも若干外側に配置されており、その左右の凹み部に遊技球を前側の第２遊動部３５ｂ側に案内する案内溝３７ａが形成されている。また、第１遊動部３５ａの前縁側には、案内溝３７ａの配置部分を除き、遊技球の前側への落下を規制する規制壁３８ａが所定高さで立設され、また後縁側には、その左右方向全範囲にわたって背壁３９ａが立設されている。
【００２４】
また、ステージ２８は、第１，第２遊動部３５ａ，３５ｂの部分が遊技盤５よりも後側に突出しているが、少なくともこの第１，第２遊動部３５ａ，３５ｂの部分が透明に形成されている。
【００２５】
入球口２７に入球した遊技球は、誘導通路３４の縦通路部３４ａ，横通路部３４ｂを経て第１遊動部３５ａに流入し、左右方向に遊動した後、中央又は左右の案内溝３７ａから前側の第２遊動部３５ｂに流下する。そして、その遊技球は第２遊動部３５ｂから第３遊動部３５ｃに流下して中央又は左右の案内溝３７ｃから前側に落下するか、又は第２遊動部３５ｂ上の落下孔４０に落下し、案内樋４１を経て排出孔４２から前側に落下する。
【００２６】
後構造体２５は、その後側に装着される液晶式その他の画像表示手段２３の表示画面２３ａに対応する例えば矩形状の表示窓２４が形成された背壁部５１と、この背壁部５１の外縁側から前向きに延設された周壁部５２と、この周壁部５２の前縁側から遊技盤５の背面に沿って外向きに延設された鍔部５３とを一体に備え、周壁部５２の前縁側を遊技盤５の背面に当接させた状態で、鍔部５３を遊技盤５にねじ止めすることにより、前構造体２２に対応して遊技盤５に対して着脱自在に固定されている。
【００２７】
なお、鍔部５３の前面側には、遊技盤５の背面側に形成された位置決め孔５４に対応する位置決め突起５５が設けられており、後構造体２５はこの位置決め突起５５を位置決め孔５４に嵌合させることで遊技盤５に対して位置決めされる。
【００２８】
背壁部５１の背面側には、画像表示手段２３が、その表示画面２３ａを表示窓２４の後側に一致させた状態で着脱自在に装着されている。また、背壁部５１の前面側には、表示窓２４の外周に沿って所定幅の表示枠５６が例えば前向き突出状に設けられている。なお、遊技盤５に設けられた装着孔２１は、少なくとも表示窓２４よりも大きく形成されており、図２に示すように表示窓２４の略全体が前構造体２２の正面から視認可能となっている。
【００２９】
また、表示枠５６は、前構造体２２側の装飾枠２６及び遊技盤５の後側に離間して配置されており、図７，図９等に示すように、下部側の下表示枠５６ａの前側に、ステージ２８の後端側の背壁３９ａが近接又は当接するようになっている。
【００３０】
周壁部５２は、図３等に示すように遊技盤５の外縁部近傍で装着孔２１を取り囲むように設けられており、この周壁部５２の内側には、後側の背壁部５１及び表示枠５６と前側の遊技盤５との間に内向きに開放する装飾室５７が形成されている。
【００３１】
装飾室５７のうち、表示枠５６の下側の下装飾室５７ａは、図６，図７等に示すように少なくともその一部が装着孔２１よりも外側（下側）に配置されており、その内部に下装飾部材５８が配置されている。この下装飾部材５８は、表示枠５６の下側で背壁部５１の前側を覆うように配置された装飾壁５８ａと、周壁部５２の上側を覆うように装飾壁５８ａの前側に配置された装飾台５８ｂと、この装飾台５８ｂの上側に着脱自在に装着された複数の装飾部品５８ｃとを備えている。
【００３２】
下装飾室５７ａは、その後側の背壁部５１が後ろ向き膨出状に形成されており、装飾壁５８ａは下表示枠５６ａよりも奥まった位置に配置されている。また、装飾壁５８ａと背壁部５１との間には、前面側に複数のＬＥＤが装着されたＬＥＤ基板５９が配置されており、透光性の装飾壁５８ａを介して下装飾室５７ａ内の略全体を照らすようになっている。
【００３３】
この下装飾室５７ａは、その少なくとも一部分が透明なステージ２８によりその上側が略覆われており、遊技機本体１の前側からステージ２８を通して下装飾室５７ａ内の下装飾部材５８を視認可能となっている。
【００３４】
また、装飾室５７のうち、表示枠５６の左側の左装飾室５７ｂは、図２，図３，図８，図９等に示すように少なくともその一部が装着孔２１よりも外側（左側）に配置されており、その内部に、周壁部５２及び背壁部５１を内側から覆うように左装飾部材６１が装着されている。また、左装飾部材６１と周壁部５２との間には、内面側に複数のＬＥＤが装着されたＬＥＤ基板６２が配置されており、左装飾部材６１をその内側から照らすようになっている。
【００３５】
また、装飾室５７のうち、表示枠５６の右側の右装飾室５７ｃは、図２，図３，図８，図９等に示すようにその略全体が装着孔２１よりも内側に配置されており、その内部に配置された第１可動部材６４はその略全体が前構造体２２の正面から視認可能となっている。第１可動部材６４は、所定のキャラクターをデザインしたフィギュア（図面上ではキャラクターの装飾は省略して内部構造を表示している）により構成され、後側に配置されたモータ等の駆動手段６５（図８）により前後方向の軸廻りに揺動して、表示画面２３ａの一部を前側から覆う第１状態と表示画面２３ａの外側に待避する第２状態とに切り換え可能となっている。
【００３６】
また、装飾室５７のうち、表示枠５６の上側の上装飾室５７ｄは、図２，図３，図５等に示すようにその一部が装着孔２１よりも外側（上側）に配置されており、その内部に背壁部５１を前側から覆うように上装飾部材６６が装着されている。また、上装飾部材６６と背壁部５１との間には、前面側に内面側に複数のＬＥＤが装着されたＬＥＤ基板６７が配置されており、上装飾部材６６をその内側から照らすようになっている。
【００３７】
また、装飾室５７ｄの周壁部５２の前端側には、前壁部５２ａが遊技盤５に平行に外向きに延設されており、その前壁部５２ａの前面側、及び周壁部５２のうち上装飾部材６６よりも前側の内面側には、例えば凹凸処理による装飾６８が施されており、この装飾６８の少なくとも一部が前構造体２２の前側から視認可能となっている。
【００３８】
更に、表示枠５６の例えば左上の角部には第２可動部材６９が配置されている。この第２可動部材６９は、表示枠５６の前側の一部を構成しており、表示枠５６の外側に配置されたモータ等の駆動手段７０により所定の軸廻りに揺動するようになっている。
【００３９】
このように、下装飾部材５８、左装飾部材６１及び上装飾部材６６は、表示枠５６の周囲に配置されているが、その配置位置は遊技盤５の後側であるため、遊技球の可動領域を圧迫することはない。しかも、装飾部材５８が配置された装飾室５７ａはその上側が透明なステージ２８により覆われており、また装飾部材６１，６６が配置された装飾室５７ｂ，５７ｄは内向きに開放されているため、遊技機本体１の前側からそれら装飾部材５８，６１，６６を視認可能であると共に表示窓２４の周りに広がりのある空間を創出できる利点がある。
【００４０】
以上説明したように、本実施形態のパチンコ機では、センターケース１３の表示枠５６は遊技盤５の後側に離間して配置され、遊技盤５の後側で且つ表示枠５６及び装着孔２１よりも外側の空間に装飾部材５８，６１，６６を前側から視認可能に設けているため、遊技領域１２を圧迫することなく、また画像表示手段２３の表示枠５６としての機能を損なうことなく、センターケース１３に立体的で広がりのある効果的な装飾を施すことが可能である。
【００４１】
また、遊技盤５の後側で且つ表示枠５６及び装着孔２１よりも下側に下装飾部材５８を配置し、ステージ２８を、その少なくとも一部を透明に形成すると共に下装飾部材５８の上側を略覆うように装飾枠２６と表示枠５６との間に配置しているため、従来はデッドスペースであったステージ下側の空間を装飾空間として有効活用できる利点がある。
【００４２】
装飾枠２６と表示枠５６との間は、ステージ２８が配置された下部側を除き内向きに開放しているため、より開放的で広がりのある装飾空間を創出できる。
【００４３】
また、後構造体２５は、表示窓２４が形成された背壁部５１と、この背壁部５１の外縁側から遊技盤５の背面側まで前向きに延設された周壁部５２とを備え、それら背壁部５１，周壁部５２の内面側に凹凸処理による装飾６８を施してその少なくとも一部を前側から視認可能としているため、従来は他の装飾部材で覆い隠していた後構造体２５の内面側をそのまま装飾部材として用いることができ、部品点数の減少や製造工程の簡略化によるコスト削減が可能となる。
【００４４】
以上、本発明の実施形態について詳述したが、本発明はこれらの実施形態に限定されるものではなく、本発明の趣旨を逸脱しない範囲で種々の変更が可能である。例えば、装飾室５７内に配置する装飾部材５８，６１，６６、可動部材６４等は例えば前構造体２２側に装着してもよい。また、例えばステージ２８は後構造体２５側に設けてもよい。
【００４５】
装飾枠２６と前記表示枠５６との間を、例えば少なくとも一部が透明なカバー部材により覆い、このカバー部材を介して装飾室５７ｂ，５７ｄ内の装飾部材６１，６６等を視認可能としてもよい。
【００４６】
ステージ２８は、下装飾部材５８の上側の一部分のみを覆うように装飾枠２６と表示枠５６との間に配置してもよい。また、例えばステージ２８は後構造体２５側に設けてもよい。
【００４７】
なお、実施形態ではパチンコ機について例示したが、アレンジボール機、雀球遊技機等の他の弾球遊技機でも同様に実施可能であることはいうまでもない。
【符号の説明】
【００４８】
５  遊技盤
１３  センターケース
２１  装着孔
２２  前構造体
２３  画像表示手段
２４  表示窓
２５  後構造体
２６  装飾枠
２７  入球口
２８  ステージ
５６  表示枠
５８  下装飾部材（装飾部材）
６１  左装飾部材（装飾部材）
６６  上装飾部材（装飾部材）
【図１】
2011016025.tif 000003
【図２】
2011016025.tif 000004
【図３】
2011016025.tif 000005
【図４】
2011016025.tif 000006
【図５】
2011016025.tif 000007
【図６】
2011016025.tif 000008
【図７】
2011016025.tif 000009
【図８】
2011016025.tif 000010
【図９】
2011016025.tif 000011
【手続補正書】
【提出日】平成22年10月29日(2010.10.29)
【手続補正１】
【補正対象書類名】特許請求の範囲
【補正対象項目名】全文
【補正方法】変更
【補正の内容】
【特許請求の範囲】
【請求項１】
遊技盤の装着孔に対して前側から装着された前構造体と、後側の画像表示手段用の表示窓を有し且つ前記前構造体に対応して前記遊技盤の裏側に装着された後構造体とを備え、前記前構造体は所定の入球口から入球した遊技球を転動させて前記遊技盤の前側に落下させるステージを前記表示窓の前下側に備えた弾球遊技機において、前記遊技盤の後側で前記後構造体の下部に、少なくとも底部が前記装着孔よりも下側に配置された下装飾室を備え、前記前構造体から前記遊技盤の後方に突出して前記下装飾室を上側から覆う前記ステージに、遊技球が左右方向に遊動しながら順次前側に落下する左右方向に長い遊動部を前後方向に複数列備え、後側の前記遊動部に、該遊動部の遊技球を下方に落下させる落下孔を設け、前記ステージの下側に設けられ且つ前記落下孔からの遊技球を前記遊技盤の前側に落下させる案内樋の後部を前記下装飾室内に配置し、該案内樋の後側で前記下装飾室内の底壁上に前記ステージを通して前側から視認可能な装飾部材を設けたことを特徴とする弾球遊技機。
【手続補正２】
【補正対象書類名】明細書
【補正対象項目名】０００６
【補正方法】変更
【補正の内容】
【０００６】
本発明は、上記事情に鑑みてなされたものであり、その目的とするところは、遊技領域を圧迫することなく、また画像表示手段の表示枠としての機能を損なうことなく効果的な装飾を施すことが可能な弾球遊技機を提供することにある。
【手続補正３】
【補正対象書類名】明細書
【補正対象項目名】０００７
【補正方法】変更
【補正の内容】
【０００７】
本発明は、遊技盤の装着孔に対して前側から装着された前構造体と、後側の画像表示手段用の表示窓を有し且つ前記前構造体に対応して前記遊技盤の裏側に装着された後構造体とを備え、前記前構造体は所定の入球口から入球した遊技球を転動させて前記遊技盤の前側に落下させるステージを前記表示窓の前下側に備えた弾球遊技機において、前記遊技盤の後側で前記後構造体の下部に、少なくとも底部が前記装着孔よりも下側に配置された下装飾室を備え、前記前構造体から前記遊技盤の後方に突出して前記下装飾室を上側から覆う前記ステージに、遊技球が左右方向に遊動しながら順次前側に落下する左右方向に長い遊動部を前後方向に複数列備え、後側の前記遊動部に、該遊動部の遊技球を下方に落下させる落下孔を設け、前記ステージの下側に設けられ且つ前記落下孔からの遊技球を前記遊技盤の前側に落下させる案内樋の後部を前記下装飾室内に配置し、該案内樋の後側で前記下装飾室内の底壁上に前記ステージを通して前側から視認可能な装飾部材を設けたものである。
【手続補正４】
【補正対象書類名】明細書
【補正対象項目名】０００８
【補正方法】変更
【補正の内容】
【０００８】
本発明によれば、遊技領域を圧迫することなく、また画像表示手段の表示枠としての機能を損なうことなく効果的な装飾を施すことが可能である。